(57)【要約】【課題】照射面のむらを防止し，かつ出力効率の低減を防止することができる埋込型照明器具を提供する。【解決手段】本願埋込型照明器具は，光源２と，光源２からの光を反射する反射鏡３と，反射鏡３と対向して取付けられる光学部材４と，を備える埋込型照明器具１であって，光学部材４は複数の開口９を有しており，光源２の光軸と交わる部分の近傍８にあっては，他の部分よりも光学部材４の単位面積あたりの開口面積が小さいことを特徴とする。【選択図】図２
2008210603.tif 000002
【特許請求の範囲】
【請求項１】
光源と，光源からの光を反射する反射鏡と，反射鏡と対向して取付けられる光学部材と，を備える埋込型照明器具であって，光学部材は複数の開口を有しており，光源の光軸と交わる部分の近傍にあっては，他の部分よりも光学部材の単位面積あたりの開口面積が小さいことを特徴とする埋込型照明器具。
【請求項２】
光学部材の単位面積あたりの開口面積は，光源の光軸と交わる部分の近傍から他の部分へ向かって，漸増することを特徴とする請求項１に記載の埋込型照明器具。
【請求項３】
開口は，六角形であることを特徴とする請求項１〜３のいずれかに記載の埋込型照明器具。
【発明の詳細な説明】
【技術分野】
【０００１】
本発明は、光源と，光源からの光を反射する反射鏡と，反射鏡と対向して取付けられる光学部材と，を備える埋込型照明器具に関するものである。
【背景技術】
【０００２】
従来から、光源と，光源からの光を反射する反射鏡と，反射鏡と対向して取付けられる光学部材と，を備える埋込型照明器具が知られている。
【０００３】
かかる埋込型照明器具にあっては，光源から照射面に向かって照射される光として，光源から直接照射面に向かって放射状に照射される直射光と，一旦，反射面で反射されて照射面に向かって略平行状に照射される反射光と，の２種類のものがある。
【０００４】
そして，光学部材にあって，光源の光軸と交わる部分の近傍と，他の部分と，での光学部材の単位面積あたりの光透過量が略同等であると，直射光と反射光とが重畳される。例えば，光学部材が薄肉円板である場合には，光源の光軸と交わる部分の近傍である円板の中央付近と，他の部分である周辺付近と，で光透過量が略同等であるならば，照射面の中央付近が明るく，中央付近から離れて周辺付近に近づくに従って暗くなるといったむらが生じやすくなる可能性がある。
【０００５】
これに対する技術として実開平６−１５２１４号公報（特許文献１）に記載されている内容が参考となる。
【０００６】
特許文献１では、照明灯の光源前面に装着した透過カバーの中央部にアルミニウム箔の光反射膜を施着することで，照射面の中央付近に照射される光を一旦反射鏡側に反射し，その後照射面の周辺付近に向けて照射することで，照射面の中央付近と周辺付近との，照度を均等にするものである。
【特許文献１】実開平６−１５２１４号公報
【発明の開示】
【発明が解決しようとする課題】
【０００７】
しかしながら、上記特許文献に記載の技術の通り，透過カバーの中央部，すわなち光源の光軸と交わる部分の近傍に透過率を低減する措置，例えば非透光性材料を設けることは，埋込型照明器具からの出力効率の低減を招く可能性がある。
【０００８】
本願発明は、上記背景技術に鑑みてなされたものであり、その課題は、照射面のむらを防止し，かつ出力効率の低減を防止することができる埋込型照明器具を提供することである。
【課題を解決するための手段】
【０００９】
上記課題を解決するために、請求項１に記載された発明は、光源と，光源からの光を反射する反射鏡と，反射鏡と対向して取付けられる光学部材と，を備える埋込型照明器具であって，光学部材は複数の開口を有しており，光源の光軸と交わる部分の近傍にあっては，他の部分よりも光学部材の単位面積あたりの開口面積が小さいことを特徴とする埋込型照明器具である。
【００１０】
また，請求項２に記載された発明は，光学部材の単位面積あたりの開口面積は，光源の光軸と交わる部分の近傍から他の部分へ向かって，漸増することを特徴とする請求項１に記載の埋込型照明器具である。
【００１１】
また，請求項３に記載された発明は，開口は，六角形であることを特徴とする請求項１〜３のいずれかに記載の埋込型照明器具である。
【発明の効果】
【００１２】
請求項１に記載された発明によれば、光学部材は複数の開口を有しており，光源の光軸と交わる部分の近傍にあっては，他の部分よりも光学部材の単位面積あたりの開口面積が小さいので，光源の直射光のうち，光軸と略平行状の光のみを照射面に照射する一方，光軸と斜行する光を照射させないこととなり，従来のような直射光と反射光が重畳しがたくなるため，照射面のむらを抑制することができる。さらに光軸と斜行する光を照射させないこととなり，グレアをカットすることが可能となる。さらに光透過量を開口で調整できるので埋込型照明器具からの出力効率の低減を抑制できる。
【００１３】
請求項２に記載された発明によれば、光透過量が漸増するので，さらに照射面のむらを抑制することができる。
【００１４】
請求項３に記載された発明によれば、開口が六角形なので同一面積内により多くの開口数を確保することができるので，光透過量のきめ細かい調整が可能となる。
【発明を実施するための最良の形態】
【００１５】
本願発明の一実施形態として、本願の請求項１〜３に対応した埋込型照明器具１について図１〜２により説明する。
【００１６】
本実施形態の埋込型照明器具１は、図１〜２に示す如く、光源２と，光源２からの光を反射する反射鏡３と，反射鏡３と対向して取付けられる光学部材４と，を備える埋込型照明器具１であって，光学部材４は複数の開口９を有しており，光源２の光軸と交わる部分の近傍８にあっては，他の部分よりも光学部材４の単位面積あたりの開口面積が小さいことを特徴とする。
【００１７】
また，光学部材４の単位面積あたりの開口面積は，光源２の光軸と交わる部分の近傍８から他の部分へ向かって，漸増することを特徴とする。
【００１８】
また，開口９は，六角形であることを特徴とする。
【００１９】
以下、本実施形態による埋込型照明器具１を、より具体的詳細に説明する。
【００２０】
埋込型照明器具１は，光源２と，反射鏡３と，光学部材４と，支持部５と，支持枠６と，カバー部７と，で構成される。
【００２１】
光源２は，図示しないソケットを介して図示しない電源回路から電力の供給を受けて発光するものであり，白熱電球、ハロゲンランプ、メタルハライドランプ、電球形蛍光灯又は高輝度ＬＥＤランプといったものを例示できる。ここで，光源２からの光は放射状に照射される。
【００２２】
反射鏡３は，光源２からの光を反射して照射面に向かって照射するものであり，ガラス基材や金属基材に金属膜が蒸着されてなるものを例示することができる。本実施形態では，反射鏡４の断面が放物線となるように設定されているので，光源２からの光を反射して，光源２の光軸と略平行状の光を照射する。なお，本実施形態では光源２と反射鏡３とは一体に組み込まれてなる，反射鏡一体型ハロゲン電球（例えば，品番ＪＲ１２Ｖ５０ＷＫＭ／５−Ｈ２，松下電器産業製）を採用している。
【００２３】
光学部材４は，セラミック材料を湿式成形することで，円板に六角形の開口９を複数設けたものである。このような粉体材料に由来して作製することで，光学部財４自体の形状が複雑であっても開口９を設けることが可能となる。また，この場合，加熱による焼結工程を経ることから耐熱性が優れた光学部材４を提供することができる。さらに，マイカ等の劈開性材料を混合することによって事後的に穿孔加工することもできる。粉体材料に由来するものとしては湿式成形に限定されることなく，セラミック材料や金属材料による乾式成形であっても構わない。また，粉体材料に由来するものでなく，ダイキャストの鋳造物やプラスチックの射出成形物であってもよいし，これらを事後的に穿孔加工することであっても構わない。
【００２４】
開口９は，円板の略中央ではその面積が小さく，周辺に向かうにつれて大きくなるものとなっており，円板の中心が光源２の光軸と交わるように取り付けられる。そのため，光源２の光軸と交わる部分の近傍８にあっては，他の部分よりも光学部材４の単位面積あたりの開口面積が小さいもとなる。特に，光源２の光軸と交わる部分の近傍８を超えて周辺に向かうと顕著に大きくなるようにしている。これによって，光源２の光軸と交わる部分の近傍８は，他の部分よりも，光学部材４に設けられた開口９の単位面積あたりの開口面積が小さいものとなっている。なお，本実施形態では，開口９は六角形であるが，円形や四角形等の他の形状であったり，これらの組み合わせであっても構わない。特に，光学部材４の形状が四角形である場合には，開口９の形状が四角形であることが，中央から周辺に向かっての開口面積を調整しやすく好適である。
【００２５】
光学部材４は，反射鏡３に対向するように取り付けられて，後述する支持部５に光源２及び反射鏡３と併せて支持される。
【００２６】
支持部５は，光源２，反射鏡３及び光学部材４を載せて，これらを傾斜自在に支持するための薄肉円筒の部材であり，本実施形態ではアルミニウムの成形体を用いている。支持部５は後述する支持枠６に回転自在に載置される。これにより傾斜された光源２，反射鏡３及び光学部材４が回転して，照射方向を任意の範囲に向けることが可能となる。
【００２７】
支持枠６は，支持部６は，支持部５を載せて，室内の造営材，例えば天井下地材に固定されるものである。本実施形態ではアルミニウムの成形体を用いてなり，薄肉円筒の部材とその上底面に固定される半円筒の部材とで構成される。
【００２８】
カバー部７は，反射鏡３の外周面を覆うように設けられるものであり，本実施形態ではアルミニウムの成形体を用いている。
【００２９】
続いて、本実施形態による埋込型照明器具１の動作について図３により、具体的詳細に説明する。
【００３０】
図３（ａ）は，光源２からの直射光を説明するものである。まず，光源２の光軸と交わる部分の近傍８にあっては，すなわち，光学部材４の中央付近では，光源２の光軸と略平行状の光が照射され，これは光学部材４の開口９を透過して照射面に照射される。一方，他の部分にあっては，光源２の光軸と斜行する光が照射され，これは光学部材４の開口９を透過することができず，照射面に照射されないこととなる。
【００３１】
図３（ｂ）は，一旦，反射面で反射されて照射面に向かって略平行状に照射される反射光を説明するものである。まず，光源２の光軸と交わる部分の近傍８にあっては，すなわち，光学部材４の中央付近では，光源２と干渉する部分については光学部材４の開口９を透過することができず，照射面に照射されないこととなる。一方，他の部分にあっては，反射鏡３によって光源２の光軸と略平行状の光が照射され，これは光学部材４の開口９を透過して照射面に照射されることとなる。
【００３２】
すわなち，図３（ａ）及び図３（ｂ）から明らかなように，照射面のむらに結びつくとされる，照射面に向かって放射状に照射される光をほとんど透過させなくなるため，照射面のむらが抑制されることとなる。
【００３３】
以上に示すごとく、本実施形態によれば、光学部材４は複数の開口９を有しており，光源２の光軸と交わる部分の近傍にあっては，他の部分よりも光学部材４の単位面積あたりの開口面積が小さいので，光源２の直射光のうち，光軸と略平行状の光のみを照射面に照射する一方，光軸と斜行する光を照射させないこととなり，従来のような直射光と反射光が重畳しがたくなるため，照射面のむらを抑制することができる。さらに光軸と斜行する光を照射させないこととなり，グレアをカットすることが可能となる。さらに光透過量を開口９で調整できるので埋込型照明器具１からの出力効率の低減を抑制できる。
【００３４】
また，本実施形態によれば、光透過量が漸増するので，さらに照射面のむらを抑制することができる。
【００３５】
さらに，本実施形態によれば、開口９が六角形なので同一面積内により多くの開口数を確保することができるので，光透過量のきめ細かい調整が可能となる。
【図面の簡単な説明】
【００３６】
【図１】本願発明の一実施形態における埋込型照明器具の分解斜視図
【図２】本願発明の一実施形態における光学部財の正面図
【図３】本願発明の一実施形態における光学部材の機能説明図
【符号の説明】
【００３７】
１      埋込型照明器具
２      光源
３      反射鏡
４      光学部材
８      光軸の交わる部分の近傍
９      開口
【図１】
2008210603.tif 000003
【図２】
2008210603.tif 000004
【図３】
2008210603.tif 000005